(57)【要約】【課題】ＥＤＣ／ＥＣＣを付加してＣＤ−ＲＯＭモード１セクタフォーマットで記録されたオーディオデータを、高音質で再生するとともにディスクが劣化した場合でも再生できるようにする。【解決手段】ＣＤから読み出され、ＥＦＭ復調されたデータはＣＩＲＣ復調部１４でＣＩＲＣデコードされ（エラー訂正）される。さらに、このデータはＣＤ−ＲＯＭデコーダ４０でＥＤＣ／ＥＣＣによりエラー訂正され、エラーのないオーディオデータとして出力される。しかし、万一訂正できないエラーがあった場合には、エラーを訂正しないまま出力し、データ補間部１６でこのエラーのあるデータを補間してほぼ元のデータを復元して出力する。これにより、オーディオＣＤの柔軟さとＣＤ−ＲＯＭの堅牢さを兼ね備えた再生装置を構成する。【選択図】　図４
2004071003.tif 000002
【特許請求の範囲】
【請求項１】
第１の誤り訂正変調処理を施したデジタルオーディオデータに第２の誤り訂正変調処理を施したデジタルオーディオデータが記録された光ディスクから該デジタルオーディオデータを読み出して復調する再生装置であって、前記第２の誤り訂正変調処理されたデジタルオーディオデータを復調する第２の誤り訂正復調手段と、
前記第２の誤り訂正復調手段によって誤り訂正復調された前記第１の誤り訂正変調処理されたデジタルオーディオデータを復調する第１の誤り訂正復調手段と、
前記第１の誤り訂正復調手段によって誤り訂正復調されたデジタルオーディオデータの誤り訂正不能データを補間するデータ補間手段と、
を具備することを特徴とする光ディスク再生装置。
【請求項２】
第２の誤り訂正変調処理を施したデジタルオーディオデータが記録された光ディスク、または第１の誤り訂正変調処理を施したデジタルオーディオデータに第２の誤り訂正変調処理を施したデジタルオーディオデータが記録された光ディスクの何れからも該デジタルオーディオデータを読み出して復調する再生装置であって、
前記第２の誤り訂正変調処理されたデジタルオーディオデータを復調する第２の誤り訂正復調手段と、
前記第２の誤り訂正復調手段によって誤り訂正復調された前記第１の誤り訂正変調処理されたデジタルオーディオデータを復調する第１の誤り訂正復調手段と、
前記光ディスクに記録されているデジタルオーディオデータが前記第１と第２の誤り訂正変調処理の両方が施されている場合は前記第１の誤り訂正復調手段の出力の、前記第１の誤り訂正変調処理が施されていない場合は前記第２の誤り訂正復調手段の出力の、誤り訂正不能データを補間するデータ補間手段と、
を具備することを特徴とする光ディスク再生装置。
【請求項３】
前記データ補間手段の出力データを一時的に記憶するにバッファメモリと、該バッフアメモリからの出力データ量に応じて時間情報を出力する時間情報出力手段とをさらに具備し、
前記時間情報出力手段は、前記光ディスクに記録されているデジタルオーディオデータが前記第１と第２の誤り訂正変調処理の両方が施されている場合は、前記バッフアメモリから所定量のデータが出力される毎に、時刻情報を出力することを特徴とする請求項ｌまたは請求項２に記載の光ディスク再生装置。
【請求項４】
第１の誤り訂正変調処理として少なくともＣＤ−ＲＯＭ規格におけるモードｌセクタフォーマットの誤り訂正符号（ＥＣＣ／ＥＤＣ）付加を、第２の誤り訂正変調処理として少なくともＣＤ−ＤＡ規格におけるＣＩＲＣ（Ｃｒｏｓｓ　Ｉｎｔｅｒｌｅａｖｅｄ　ＲＥＥＤ−ＳＯＬＯＭＯＮ　ｃｏｄｅ）　誤り訂正符号付加を施したデジタルオーディオデータが記録された光ディスクから該デジタルオーディオデータを読み出して復調する再生装置であることを特徴とする請求項１、請求項２まはた請求項３に記載の光ディスク再生装置。
【請求項５】
第１の誤り訂正変調処理を施したデジタルオーディオデータに第２の誤り訂正変調処理を施したデジタルオーディオデータが記録された光ディスクから該デジタルオーディオデータを読み出して復調する再生方法であって、前記第２の誤り訂正変調処理されたデジタルオーディオデータを復調する第２の誤り訂正復調手順と、
前記第２の誤り訂正復調手順によって誤り訂正復調された前記第１の誤り訂正変調処理されたデジタルオーディオデータを復調する第１の誤り訂正復調手順と、
前記第１の誤り訂正復調手順によって誤り訂正復調されたデジタルオーディオデータの誤り訂正不能データを補間するデータ補間手順と、
から成ることを特徴とする光ディスク再生方法。
【請求項６】
第２の誤り訂正変調処理を施したデジタルオーディオデータが記録された光ディスク、または第１の誤り訂正変調処理を施したデジタルオーディオデータに第２の誤り訂正変調処理を施したデジタルオーディオデータが記録された光ディスクの何れからも該デジタルオーディオデータを読み出して復調する再生方法であって、
前記第２の誤り訂正変調処理されたデジタルオーディオデータを復調する第２の誤り訂正復調手順と、
前記第２の誤り訂正復調手段によって誤り訂正復調された前記第１の誤り訂正変調処理されたデジタルオーディオデータを復調する第１の誤り訂正復調手順と、
前記光ディスクに記録されているデジタルオーディオデータが前記第１と第２の誤り訂正変調処理の両方が施されている場合は前記第１の誤り訂正復調手段の出力の、前記第１の誤り訂正変調処理が施されていない場合は前記第２の誤り訂正復調手段の出力の、誤り訂正不能データを補間するデータ補間手順と、
から成ることを特徴とする光ディスク再生方法。
【請求項７】
前記データ補間手順の出力データをバッファメモリに一時的に記憶する手順と、
該バッフアメモリからの出力データ量に応じて時間情報を出力する時間情報出力手順とをさらに具備し、
前記時間情報出力手順は、前記光ディスクに記録されているデジタルオーディオデータが前記第１と第２の誤り訂正変調処理の両方が施されている場合は、前記バッフアメモリから所定量のデータが出力される毎に、時刻情報を出力することを特徴とする請求項５または請求項６に記載の光ディスク再生方法。
【請求項８】
第１の誤り訂正変調処理として少なくともＣＤ−ＲＯＭ規格におけるモード１セクタフォーマットの誤り訂正符号（ＥＣＣ／ＥＤＣ）付加を、第２の誤り訂正変調処理として少なくともＣＤ−ＤＡ規格におけるＣＩＲＣ（Ｃｒｏｓｓ　Ｉｎｔｅｒｌｅａｖｅｄ　ＲＥＥＤ−ＳＯＬＯＭＯＮ　ｃｏｄｅ）　誤り訂正符号付加を施したデジタルオーディオデータが記録された光ディスクから該デジタルオーディオデータを読み出して復調する再生方法であることを特徴とする請求項５、請求項６または請求項７に記載の光ディスク再生方法。
【発明の詳細な説明】
【０００１】
【発明の属する技術分野】
この発明は、ディスクが劣化してエラービットが増加してもデジタルオーディオデータの音質劣化が少なく、且つ再生不能にならない光ディスク再生装置および光ディスク再生方法に関する。
【０００２】
【従来の技術】
代表的な光ディスクのひとつであるＣＤにおいては、ディスクに記録するデータにＣＩＲＣ（Ｃｒｏｓｓ−Ｉｎｔｅｒｌｅａｖｅｄ　ＲＥＥＤ−ＳＯＬＯＭＯＮ　Ｃｏｄｅ）　処理を施すことによってデータ誤りの発見およびその訂正を可能にしている。このＣＩＲＣ処理によって殆どのデータ誤りを訂正することができるが、場合によっては訂正できないデータ誤りが発生する場合がある。ＣＤをＤＡＤ（デジタル・オーディオ・ディスク）として用いるＣＤ−ＤＡでは、ＣＩＲＣ処理で訂正不能なデータ誤りが発生した場合には、異常データの前後の正常なデータを用いた補間処理によって異常データの代替データを作成し、このデータを用いて再生するようにしている。オーディオデータは、連続した音楽信号波形をサンプリングしてデジタル化したデータ列であるため、前後の正常なデータで補間することによって誤り訂正できなかったデータを補い音楽信号波形をつなぐことができるためである。
【０００３】
一方、ＣＤをＤＤＤ（デジタル・データ・ディスク）として用いるＣＤ−ＲＯＭでは、通常のデジタルデータの特性上補間によって元のデータを復元することは無意味（不可能である）と考えられるため、誤り訂正不能なデータ誤りが発生した時点でそのデータは破壊されているとして処理しなければならない。このためこのような問題を回避するためにＣＤ−ＤＡよりも強力な誤り訂正能力が必要とされる。そこで、ＣＤ−ＲＯＭ規格では、各セクタ（サブコードフレーム）データに強力な誤り訂正符号（ＥＤＣ（Ｅｒｒｏｒ　Ｄｅｔｅｃｔｉｏｎ　Ｃｏｄｅ）／ＥＣＣ（Ｅｒｒｏｒ　Ｃｏｒｒｅｃｔｉｏｎ　Ｃｏｄｅ）　）を付加するとともに、これに加えてＣＩＲＣ処理することによって、エラービットの発見・訂正能力をより強化している。
【０００４】
図３は、ＣＤ−ＤＡおよびＣＤ−ＲＯＭから読み出される情報の品質の変化を示す模式図である。ディスクが製造されたのち時間が経過すると、ポリカーボネート基板のキズや変形、記録層の色素の劣化などでピットの品質が低下し、読み取りエラーが増加する。ＣＤ−ＤＡの場合、誤り訂正はＣＩＲＣ処理のみであるため、劣化ピットの増加に伴って誤り訂正不能なデータが増加するが、その場合であっても補間によって音楽波形をつなぐことができるため、情報（オーディオ信号）の品質は低下し音質劣化が進行し雑音が増加してゆくものの情報を出力できなくなるということはない。
【０００５】
一方、ＣＤ−ＲＯＭの場合、ＣＩＲＣに加えてＥＤＣ／ＥＣＣで誤り訂正を行うため、誤り訂正能力は極めて高く、読み取り誤りが相当の確率で増加してもその誤りの発見・訂正が可能である。しかし、一旦誤り訂正不能な誤りが発生してしまうと、そのデータは信頼性が無いものとされ破棄され、その時点で情報（デジタルデータ）を出力できなくなってしまい、その情報を利用できなくなってしまう。
【０００６】
【発明が解決しようとする課題】
ところで、ライブの録音など再現が不可能で取り直しができない録音では通常の録音よりも音質劣化の少ない録音をすることが望まれる。この録音をＣＤ上に行う場合には、オーディオＣＤ（ＣＤ−ＤＡ）として録音するよりも、ＣＩＲＣ＋ＥＤＣ／ＥＣＣの二重の誤り訂正処理をして記録することが望ましい。しかし、このセクタフォーマットで記録した場合、オーディオファイルがデジタルデータフアイル（ＷＡＶフアイルなど）として記録されるため、ディスクが劣化して１箇所でも誤り訂正不能なデータが発生した時点で読み出しが不可能になってしまい、殆ど正常なデータが保存されているにもかかわらずオーディオの再生ができなくなってしまうという問題があった。
【０００７】
この発明は、ＣＩＲＣ＋ＥＤＣ／ＥＣＣの二重の誤り訂正処理をして記録されたデジタルオーディオデータを、この強力な誤り訂正能力を用いて正しく再生し、且つ万が一誤り訂正できないデータ誤りが発生した場合でも誤りデータの補間を行って再生する光ディスク再生装置および光ディスク再生方法を提供することを目的とする。
【０００８】
【課題を解決するための手段】
請求項ｌの発明は、第１の誤り訂正変調処理を施したデジタルオーディオデータに第２の誤り訂正変調処理を施したデジタルオーディオデータが記録された光ディスクから該デジタルオーディオデータを読み出して復調する再生装置であって、前記第２の誤り訂正変調処理されたデジタルオーディオデータを復調する第２の誤り訂正復調手段と、前記第２の誤り訂正復調手段によって誤り訂正復調された前記第１の誤り訂正変調処理されたデジタルオーディオデータを復調する第１の誤り訂正復調手段と、前記第１の誤り訂正復調手段によって誤り訂正復調されたデジタルオーディオデータの誤り訂正不能データを補間するデータ補間手段を備えたことを特徴とする。
【０００９】
請求項２の発明は、第２の誤り訂正変調処理を施したデジタルオーディオデータが記録された光ディスク、または第１の誤り訂正変調処理を施したデジタルオーディオデータに第２の誤り訂正変調処理を施したデジタルオーディオデータが記録された光ディスクの何れからも該デジタルオーディオデータを読み出して復調する再生装置であって、前記第２の誤り訂正変調処理されたデジタルオーディオデータを復調する第２の誤り訂正復調手段と、前記第２の誤り訂正復調手段によって誤り訂正復調された前記第１の誤り訂正変調処理されたデジタルオーディオデータを復調する第１の誤り訂正復調手段と、前記光ディスクに記録されているデジタルオーディオデータが前記第１と第２の誤り訂正変調処理の両方が施されている場合は前記第１の誤り訂正復調手段の出力の、前記第１の誤り訂正変調処理が施されていない場合は前記第２の誤り訂正復調手段の出力の、誤り訂正不能データを補間するデータ補間手段を備えたことを特徴とする。
【００１０】
請求項３の発明は、上記発明において、前記データ補間手段の出力データを一時的に記憶するにバッフアメモリと、該バッファメモリからの出力データ量に応じて時間情報を出力する時間情報出力手段とをさらに備え、前記時間情報出力手段は、前記光ディスクに記録されているデジタルオーディオデータが前記第１と第２の誤り訂正変調処理の両方が施されている場合は、前記バッファメモリから所定量のデータが出力される毎に、時刻情報を出力することを特徴とする。
【００１１】
請求項４の発明は、上記発明において、第１の誤り訂正変調処理として少なくともＣＤ−ＲＯＭ規格におけるモード１セクタフォーマットの誤り訂正符号（ＥＣＣ／ＥＤＣ）付加を、第２の誤り訂正変調処理として少なくともＣＤ−ＤＡ規格におけるＣＩＲＣ誤り訂正符号付加を施したデジタルオーディオデータが記録された光ディスクから該デジタルオーディオデータを読み出して復調する再生装置であることを特徴とする。
【００１２】
請求項５の発明は、第１の誤り訂正変調処理を施したデジタルオーディオデータに第２の誤り訂正変調処理を施したデジタルオーディオデータが記録された光ディスクから該デジタルオーディオデータを読み出して復調する再生方法であって、前記第２の誤り訂正変調処理されたデジタルオーディオデータを復調する第２の誤り訂正復調手順と、前記第２の誤り訂正復調手段によって誤り訂正復調ざれた前記第１の誤り訂正変調処理されたデジタルオーディオデータを復調する第１の誤り訂正復調手順と、前記第１の誤り訂正復調手段によって誤り訂正復調されたデジタルオーディオデータの誤り訂正不能データを補間するデータ補間手順から成ることを特徴とする。
【００１３】
請求項６の発明は、第２の誤り訂正変調処理を施したデジタルオーディオデータが記録された光ディスク、または第１の誤り訂正変調処理を施したデジタルオーディオデータに第２の誤り訂正変調処理を施したデジタルオーディオデータが記録された光ディスクの何れからも該デジタルオーディオデータを読み出して復調する再生方法であって、前記第２の誤り訂正変調処理されたデジタルオーディオデータを復調する第２の誤り訂正復調手順と、前記第２の誤り訂正復調手段によって誤り訂正復調された前記第１の誤り訂正変調処理されたデジタルオーディオデータを復調する第１の誤り訂正復調手順と、前記光ディスクに記録されているデジタルオーディオデータが前記第１と第２の誤り訂正変調処理の両方が施されている場合は前記第１の誤り訂正復調手段の出力の、前記第１の誤り訂正変調処理が施されていない場合は前記第２の誤り訂正復調手段の出力の、誤り訂正不能データを補間するデータ補間手順から成ることを特徴とする。
【００１４】
請求項７の発明は、上記発明において、前記データ補間手順の出力データをバッフアメモリに一時的に記憶する手順と、該バッファメモリからの出力データ量に応じて時間情報を出力する時間情報出力手順とをさらに具備し、前記時間情報出力手順は、前記光ディスクに記録されているデジタルオーディオデータが前記第１と第２の誤り訂正変調処理の両方が施されている場合は、前記バッファメモリから所定量のデータが出力される毎に、時刻情報を出力することを特徴とする。
【００１５】
請求項８の発明は、上記発明において、第１の誤り訂正変調処理として少なくともＣＤ−ＲＯＭ規格におけるモードｌセクタフォーマットの誤り訂正符号（ＥＣＣ／ＥＤＣ）付加を、第２の誤り訂正変調処理として少なくともＣＤ−ＤＡ規格におけるＣＩＲＣ誤り訂正符号付加を施したデジタルオーディオデータが記録された光ディスクから該デジタルオーディオデータを読み出して復調する再生方法であることを特徴とする。
【００１６】
光ディスクの一例としてＣＤ（コンパクト・ディスク）に本願発明を実施した例を説明する。
【００１７】
この発明で再生される光ディスク（ＣＤ）は、オーディオデータをサンプリングしてデジタル化したデジタルオーディオデータに対してＥＤＣ／ＥＣＣ（誤り検出／訂正符号）を付加して強力な誤り訂正をを可能にし、且つこのＥＤＣ／ＥＣＣが付加されたデジタルオーディオデータにＣＩＲＣ処理を施して記録したものである。この光ディスクのセクタフォーマットは、ＤＤＤであるＣＤ−ＲＯＭのモード１セクタフォーマット（あるいはＣＤ−ＲＯＭ　ＸＡ　Ｆｏｒｍ１セクタフォーマット）であり、このディスクを再生すると、ディスクに多少のキズなどがあって読取エラーがあっても上記ＣＩＲＣ＋ＥＤＣ／ＥＣＣの誤り訂正能力によって誤りは訂正され、　完全に正しいデジタルオーディオデータが出力される。これによりディスクが経年劣化しても正しいデジタルオーディオデータの再生を維持できる。
【００１８】
一方、ディスクの劣化が進んで、上記ＣＩＲＣ＋ＥＤＣ／ＥＣＣの誤り訂正能力を用いても訂正できないエラーが発生した場合、従来のＣＤ−ＲＯＭドライブでは、データを訂正不能の破壊されたデータとして扱い、破棄するためこのデータを再生することはできなかったが、この発明ではこのような場合でも誤り訂正できないままデータを出力し、誤り訂正できない箇所についてはその前後の正常なデータを用いて補間して出力するようにしている。これによりデータの正確性を維持しつつ、訂正不能な部分が発生したとしても補間によってオーディオデータの再生を確保することができるようになる。
【００１９】
また、一般のオーディオＣＤであるか上記ＣＤ−ＲＯＭモード１セクタフォーマットでオーディオデータを記録したＣＤ（Ｍ１ＣＤ：モード１セクタフォーマットオーディオＣＤ）　であるかをＴＯＣ情報やセクタヘッダ情報などから識別し、オーディオＣＤの場合には、読み出したデータをＣＩＲＣ復調したのち誤り訂正できなかったデータを補間して出力する通常のオーディオＣＤの再生処理を実行し、Ｍ１ＣＤの場合にはＣＩＲＣ＋ＥＤＣ／ＥＣＣ復調したのち誤り訂正できなかったデータを補間して出力する。これにより、ユーザが意識して切りかえることなく、一般のオーディオＣＤおよびＭ１ＣＤの両方を再生することができる。
【００２０】
オーディオＣＤの場合、９８フレームで１セクタを形成し、１／７５秒の再生時間に相当する２３５２ｂｙｔｅのオーディオデータを有している。１セクタ毎にサブコード情報と呼ばれる時間情報が付加されており、時間情報は１曲の経過時間およびディスク全体の経過時間を表し、またアドレス情報としても使用される。ＣＤ−ＲＯＭモード１セクタフォーマットを採用した場合、セクタヘッダやＥＤＣ／ＥＣＣなどにもデータビットを割くためにｌセクタのデータ量は２０４８ｂｙｔｅとなる。このためセクタ毎の時間情報はオーディオＣＤと同じであるがセクタ内のデータ量が違っているため、時間情報の進行と演奏時間が一致しないという不具合が生じる。本発明では、Ｍ１ＣＤを再生するときは、実際に再生したオーディオデータのデータ量に基づいて演奏時間を算出して表示器へ出力する。これによりセクタ内のデータ量が異なってもオーディオＣＤと同様の演奏時間表示が可能となる。
【００２１】
【発明の実施の形態】
まず最初に、図面を参照して本願発明の前提となる一般的な光ディスク読取装置（オーディオＣＤプレーヤ、ＣＤ−ＲＯＭドライブ）について説明する。図１は、オーディオＣＤプレーヤのブロック図である。
同図において、ディスク１はスピンドルモータ３によって回転される。この回転速度は回転サーボ回路８で所定の回転数に制御される。回転サーボ回路８は口述する参照用のクロック信号と同期信号とを位相比較することで回転誤差信号を生成し制御に利用する。ディスク１の記録面には光学系２が対向しており、記録面に記録されているピットを光学系２がレーザビームによって読み取る。光学系２は、フォーカスサーボ回路５、トラッキングサーボ回路６、送りサーボ回路７により、ピット上にレーザビームの焦点を結び且つ正確にトラックに追従するように制御される。
【００２２】
フォーカスサーボ回路５は、光学系２から出力されるフォーカスエラー信号に基づいて光学系２とディスク１の距離を調整してディスク１の記録面にレーザビームの焦点が結ぶように制御する。トラッキングサーボ回路６は、光学系２から出力されるトラッキングエラー信号に基づいて、光学系２のディスク１に対する半径方向の位置を調整して、光学系２がディスク１のトラック（ピット列）を正確にトレースするように制御する。なお、トラッキングサーボ回路６は光学系２の半径方向の位置を電磁アクチュエータで微調整するものである。トラッキングサーボ回路６が生成するトラッキングサーボ信号の低周波数成分は、送りサーボ回路７に送られる。送りサーボ回路７は、このトラッキングサーボ信号に基づいてフィードモータを駆動し、光学系２全体をガイドレールに沿ってディスク１の半径方向に移動させる。これにより、光学系２が螺旋状に形成されているトラックを継続的にトレースすることができるようにしている。また、送りサーボ回路７にはシステム制御部１９からトラックジャンプ命令が入力される。トラックジャンプ命令が入力されると、送りサーボ回路７はトラックを横切って光学系２を移動させる。
【００２３】
光学系２が検出したＲＦ信号はＲＦアンプ４に入力される。ＲＦアンプ４で増幅されたＲＦ信号は波形整形回路９に入力される。波形整形回路９は、入力されたＲＦ信号のアシメントリを補正して２値信号化するとともに、この２値信号の立ち上がりによってクロックパルスを生成する。この２値信号およびクロックパルスはフレーム同期検出部１０に入力される。また、クロックパルスは回転サーボ回路８にも入力される。なお、このフレーム同期検出部１０以後がディジタル回路であり、波形整形部９以前がアナログ回路で構成されている。
【００２４】
フレーム同期検出部１０は、入力された２値信号から２４ビット（チャンネルビット）のフレーム同期信号を検出し、このフレーム同期信号を回転サーボ回路８に出力する。フレーム同期検出部１０がフレーム同期信号を検出すると、それ以後にフレームデータ本体が続いているため、これをＥＦＭ復調部１１およびサブコード復調部１２に入力して、データ本体およびサブコードを復調する。ＥＦＭ復調部１１で復調されたデータ本体は、ＣＩＲＣ復調部１４に入力される。また、サブコード復調部１２で復調されたサブコードデータはシステム制御部１９に入力され、時間情報の表示のため、表示器に出力される。
【００２５】
ＣＩＲＣ復調部１４は、入力されたデータ本体をメモリ１５にバッファしつつ、インターリーブを解除し、これをＣＩＲＣエラー訂正部１３に入力してエラー訂正を行い、Ｌチャンネル、Ｒチャンネルのストリームデータに復調してデータ補間部１６に入力する。
【００２６】
ストリームデータが入力されたデータ補間部１６は、誤り訂正結果に従って、訂正不能であったデータを前後のサンプルデータを用いて補間修正する。この補間処理を終えたストリームデータは、左右チャンネルのＤ／Ａコンバータ１７、１８に入力され、アナログのオーディオ信号として出力される。
【００２７】
なお、オーディオＣＤプレーヤは、デジタル信号処理回路部をＬＳＩ化して部品点数を少なくすることによって小型化を図っており、図１の例では、ＬＳＩ１００、１０１、１０２のチップセットを用いて部品点数を少なくしている。
【００２８】
図２は、ＤＤＤであるＣＤ−ＲＯＭを読み取るＣＤ−ＲＯＭドライブのブロック図である。図１に示したオーディオＣＤプレーヤの機構部、アナログ回路、制御部（１〜９、１９、２０）の図示は省略するとともに、図１のオーディオＣＤプレーヤと同一構成の部分には同一番号を付して説明を省略する。
ＣＤ−ＲＯＭドライブは、オーディオ再生機能も備えており、前記ＬＳＩ１００、１０１、１０２のチップセットおよびＤ／Ａコンバータ１７、１８を内蔵している。そして、ＣＩＲＣ復調部１４で復調されたデータをさらにＥＤＣ／ＥＣＣでエラー訂正するＣＤ−ＲＯＭデコーダ４０およびパーソナルコンピュータなどのホスト装置とデータおよび制御信号の送受信を行うインタフェース４１を備えている。ＣＩＲＣ復調部１４で誤り訂正できなかったデータをＥＤＣ／ＥＣＣによって訂正するためのデータ補間部１６を経由せずに、ＣＩＲＣ復調部１４から直接ＣＤ−ＲＯＭデコーダ４０に復調データが入力される。なお、ホスト装置で処理されるデジタルデータは補間がきかず１ビット誤っても使えないため、ＥＤＣ／ＥＣＣでも訂正できなかった場合は破棄される。
【００２９】
以上が、一般的なオーディオＣＤプレーヤおよびＣＤ−ＲＯＭドライブの概略構成である。以下、この発明の実施形態である光ディスク再生装置について説明する。
図４は、同光ディスク再生装置のブロック図である。同図において、図１、図２に示した装置と同一構成の部分は同一番号を付して説明を省略する。また、図１のオーディオＣＤプレーヤの機構部、アナログ回路など（１〜９、２０）の図示は省略している。
【００３０】
この光ディスク再生装置は、光ディスクにＣＤ−ＲＯＭモード１セクタフォーマット（ＣＤ−ＲにＣＤ−ＲＯＭモード１セクタフォーマットで書き込まれたものを含む）にデータファイル（ＷＡＶファイル等）として記録されているデジタルオーディオデータを再生してオーディオ信号として出力する装置である。ＬＳＩ１００（フレーム同期検出部１０、ＥＦＭ復調部１１、サブコード復調部１２）によって復調されたデータ本体は、ＣＩＲＣ復調部１４およびＬＳＩ１０１（ＣＩＲＣエラー訂正部１３）によってＣＩＲＣ処理を解除されるとともにエラー訂正されてフレームデータが復調される。この復調されたデータはＣＤ−ＲＯＭモード１セクタフォーマットのデータである。
【００３１】
図５（Ｂ）がＣＤ−ＲＯＭモード１セクタフォーマットの１セクタ分のデータ形式を示しており、この１セクタ（２３５２ｂｙｔｅ）のデータサイズは、同図（Ａ）に示すＣＤ−ＤＡ形式の９８フレーム分のメインデータのサイズ（２４バイト×９８）に対応している。
【００３２】
このＣＤ−ＲＯＭモード１セクタフォーマットのデジタルオーディオデータは、ＣＤ−ＲＯＭデコーダ４０に入力されてＥＤＣ／ＥＣＣにより、ＣＩＲＣの約１０００倍のエラー訂正能力で強力にエラー訂正が施され、記録時のデータがほぼ完璧に維持される。
【００３３】
万一ＥＤＣ／ＥＣＣを用いても訂正不可能なエラーが発生した場合でも、ＣＤ−ＲＯＭデコーダ４０は、これを読取不可データとして処理せず、訂正不可能なデータは壊れたままで訂正不能データのポインタとともに後段に出力する。そして、データ補間部１６が、このＣＩＲＣ＋ＥＤＣ／ＥＣＣによるエラー訂正を用いてもエラー訂正できなかったデータについては、ポインタにしたがって前後の正常なデータを使って補間処理を行う。このようにこの光ディスク再生装置では、ＣＩＲＣ＋ＥＤＣ／ＥＣＣによるエラー訂正によって記録時のデータを維持することができるとともに、万一エラー訂正できなかった場合でも、補間処理をして出力することにより、音楽信号波形をつなぐことができる。
このデータが一旦バッファメモリ４１に蓄えられたのちＤ／Ａコンバータ１７、１８に出力される。
【００３４】
また、システム制御部１９はバッファメモリ４１からＣＤ−ＤＡの時間情報（アドレス）更新に相当するデータ（２３５２ｂｙｔｅ）が出力されたことを検出し、７５回検出する毎に再生時間情報を１秒進めて出力するようにしている。更新のタイミングは、タイマやカウンタを用いて検出してもよいし、また、セクタのヘッダに書き込まれている絶対時刻情報やサブコードに含まれている演奏時刻を（２０４８／２３５２）で換算して、オーディオデータの演奏時間を割り出して出力してもよい。あるいは、約１．１５倍で再生し、サブコードに含まれる時間情報を（２０４８／２３５２）で換算して順次出力してもよい。
【００３５】
また、曲番号を指定した選曲指示があった場合などは、対応するオーディオファイルを、セクタのヘッダ、フレームのサブコード情報、または、このディスクのディレクトリ情報などから検索してアクセスするようにすればよい。
すなわち、上記ＣＤ−ＲＯＭモード１セクタフォーマットで記録されている複数のデジタルオーディオデータファイルの開始アドレスは、ＣＤのリードインエリアのＴＯＣ（Ｔａｂｌｅ　ｏｆ　Ｃｏｎｔｅｎｔｓ）情報に書き込んでおいてもよく、また、リードインエリアのＴＯＣにはディレクトリ情報の開始アドレスのみを書き込んでおき、各デジタルオーディオファイルの開始アドレスは、ディレクトリ情報に書き込んでおいてもよい。
【００３６】
また、この光ディスク再生装置は、セットされたＣＤがオーディオデータが記録されたＣＤ−ＲＯＭモード１セクタフォーマットオーディオディスクであるか、またはオーディオＣＤであるかを判断し、オーディオデータが記録されたＣＤ−ＲＯＭモード１セクタフォーマットディスクの場合には図４の全ての機能を利用してオーディオデータを再生し、オーディオＣＤの場合には、ＣＤ−ＲＯＭデコーダ４０をスキップしてこのＣＤを再生する。これはシステム制御部１９が、ＴＯＣ情報やファイルヘッダ情報などから自動的に判断して切り換える。
【００３７】
なお、この実施形態では、光ディスク再生装置の一例としてＣＤを再生する装置について説明したが、再生する光ディスクはＣＤに限定されるものではなく、オーディオ再生用途の光ディスクの持つ誤り訂正能力に新たな誤り訂正能力を付加することによって、誤り訂正能力を高めたものであれば本発明に含まれる。
【００３８】
【発明の効果】
以上のようにこの発明によれば、２重のエラー訂正可能化処理によって正しいオーディオデータを読み出して高音質の再生が可能であるとともに、ディスクが劣化して万一訂正が不可能なエラーが発生した場合でも補間によってほぼ元のデータを復元して再生することができる。これにより、高音質の再生を維持しつつエラー訂正できない場合でも再生が可能となる。
【図面の簡単な説明】
【図１】一般的なオーディオＣＤプレーヤのブロック図
【図２】一般的なＣＤ−ＲＯＭドライブのブロック図
【図３】オーディオＣＤとＣＤ−ＲＯＭの経年劣化と再生音質を比較する図
【図４】この発明の実施形態である光ディスク再生装置のブロック図
【図５】ＣＤのセクタフォーマットを説明する図
【符号の説明】
１…光ディスク（ＣＤ）、２…光学系、３…スピンドルモータ、４…ＲＦアンプ、５…フォーカスサーボ回路、６…トラッキングサーボ回路、７…送りサーボ回路、８…回転サーボ回路、９…波形整形回路、１０…フレーム同期検出部、１１…ＥＦＭ復調部、１２…サブコード復調部、１３…ＣＩＲＣエラー訂正部、１４…ＣＩＲＣ復調部、１５…メモリ、１６…データ補間部、１７，１８…Ｄ／Ａコンバータ、１９…システム制御部、２０…操作部、１００、１０１、１０２…ＬＳＩ（チップセット）、
４０…ＣＤ−ＲＯＭデコーダ、４１…インタフェース、
【図１】
2004071003.tif 000003
【図２】
2004071003.tif 000004
【図３】
2004071003.tif 000005
【図４】
2004071003.tif 000006
【図５】
2004071003.tif 000007